(57)【要約】【課題】不使用時にパネルディスプレイを容易に収納できる収納装置を提供すること。【解決手段】収納装置１００であって、パネルディスプレイＰＤＰを収納する収納箱１０と、パネルディスプレイＰＤＰを収納箱１０内と収納箱１０上方位置との間で昇降させる昇降手段と、を備える。収納箱１０の下面には移動手段としてのキャスターが取付けられており、ＰＤＰを収納箱ごと移動することができる。また、前面扉１４を開くことにより、ＰＤＰを低い位置に配置することもできる。【選択図】  図２
2004337430.tif 000002
【特許請求の範囲】
【請求項１】
パネルディスプレイを収納する収納箱と、
前記パネルディスプレイを、前記収納箱内と前記収納箱上方位置との間で昇降させる昇降手段と、
を備えることを特徴とするディスプレイ収納装置。
【請求項２】
前記収納箱は、
上面に開口を有する有底筒型部材と、
前記開口に対して開閉する蓋とを備え、
前記昇降手段は、前記パネルディスプレイを、前記開口を通して昇降することを特徴とする請求項１に記載のディスプレイ収納装置。
【請求項３】
前記昇降手段は、
前記パネルディスプレイを支持しつつ上下動可能な支持手段と、
前記支持手段に固定されたプーリーと、
前記収納箱に固定された線材巻取手段と、
一端を前記収納箱の上端に固定され、前記プーリーに巻回されて他端を前記線材巻取手段に固定された線材と、
を有し、
前記線材巻取手段が前記線材を巻取ることによって前記支持手段を前記収納箱に対して上昇させることを特徴とする請求項１に記載のディスプレイ収納装置。
【請求項４】
前記支持手段は、
水平方向にスライド可能なブレードと、
前記ブレードに固定され、上下方向に伸びる前記線材に対して直角を成す方向に当接する当接手段と、
前記当接手段が前記線材から受ける力に抗して、前記ブレードを前記収納箱の壁面側に付勢する付勢手段と、
を有し、
前記収納箱は、その壁面に前記ブレードの先端を挿入可能な挿入口を有し、
前記線材が切断された場合には、前記ブレードが前記付勢手段からの付勢力を受けて前記挿入口に挿入されることを特徴とする請求項１に記載のディスプレイ収納装置。
【請求項５】
前記収納箱の下面に取付けられた移動手段を更に含むことを特徴とする請求項１に記載のディスプレイ収納装置。
【請求項６】
前記移動手段は、
前記パネルディスプレイの前後方向に八の字に延設された２本の棒状部材と、
前記棒状部材のそれぞれに取付けられたキャスターと、
を含むことを特徴とする請求項５に記載のディスプレイ収納装置。
【請求項７】
前記昇降手段は、
前記パネルディスプレイの一部が前記収納箱に収納される中段位置で前記パネルディスプレイを停止可能であり、
前記収納箱は、前記中段位置に停止した前記パネルディスプレイの画面全体を露出させるための扉を前面壁の上端に有することを特徴とする請求項１に記載のディスプレイ収納装置。
【発明の詳細な説明】
【０００１】
【発明の属する技術分野】
本発明は、パネルディスプレイを昇降する収納装置に関するものである。
【０００２】
【従来の技術】
従来から、例えばプラズマディスプレイパネルなどのパネルディスプレイを
支持する装置が知られている（特許文献１参照）。
【０００３】
【特許文献１】
特開平１１−２５１７５８号公報
【０００４】
【発明が解決しようとする課題】
しかしながら、従来の装置は、パネルディスプレイの表示画面を保護するという思想はなく、常に剥き出しの状態で支持するものであった。また、ディスプレイの高さを変えたい場合には、ディスプレイを支持するスタンドの長さを変えたり、ディスプレイの取付位置を変えたりする必要があり、容易に行うことができなかった。
【０００５】
本発明は上記従来技術の課題を解決するためになされたもので、その目的とするところは、不使用時にパネルディスプレイを容易に収納できる収納装置を提供することにある。
【０００６】
【課題を解決するための手段】
上記目的を達成するため、本発明に係る装置は、
パネルディスプレイを収納する収納箱と、
前記パネルディスプレイを、前記収納箱内と前記収納箱上方位置との間で昇降させる昇降手段と、
を備えることを特徴とする。
【０００７】
前記収納箱は、
上面に開口を有する有底筒型部材と、
前記開口に対して開閉する蓋とを備え、
前記昇降手段は、前記パネルディスプレイを、前記開口を通して昇降することを特徴とする。
【０００８】
前記昇降手段は、
前記パネルディスプレイを支持しつつ上下動可能な支持手段と、
前記支持手段に固定されたプーリーと、
前記収納箱に固定された線材巻取手段と、
一端を前記収納箱の上端に固定され、前記プーリーに巻回されて他端を前記線材巻取手段に固定された線材と、
を有し、
前記線材巻取手段が前記線材を巻取ることによって前記支持手段を前記収納箱に対して上昇させることを特徴とする。
【０００９】
前記支持手段は、
水平方向にスライド可能なブレードと、
前記ブレードに固定され、上下方向に伸びる前記線材に対して直角を成す方向に当接する当接手段と、
前記当接手段が前記線材から受ける力に抗して、前記ブレードを前記収納箱の壁面側に付勢する付勢手段と、
を有し、
前記収納箱は、その壁面に前記ブレードの先端を挿入可能な挿入口を有し、
前記線材が切断された場合には、前記ブレードが前記付勢手段からの付勢力を受けて前記挿入口に挿入されることを特徴とする。
【００１０】
前記収納箱の下面に取付けられた移動手段を更に含むことを特徴とする。
【００１１】
前記移動手段は、
前記パネルディスプレイの前後方向に八の字に延設された２本の棒状部材と、
前記棒状部材のそれぞれに取付けられたキャスターと、
を含むことを特徴とする。
【００１２】
前記昇降手段は、
前記パネルディスプレイの一部が前記収納箱に収納される中段位置で前記パネルディスプレイを停止可能であり、
前記収納箱は、前記中段位置に停止した前記パネルディスプレイの画面全体を露出させるための扉を前面壁の上端に有することを特徴とする。
【００１３】
【発明の実施の形態】
以下に、図面を参照して、この発明の好適な実施の形態を例示的に詳しく説明する。ただし、この実施の形態に記載されている構成要素の相対配置、数値等は、特に特定的な記載がない限りは、この発明の範囲をそれらのみに限定する趣旨のものではない。
【００１４】
本発明の実施の形態として、プラズマディスプレイパネル（以下、ＰＤＰを称する）を収納する収納装置１００の構成について図１〜図６を用いて説明する。
【００１５】
図１の（ａ）はＰＤＰを収納装置１００内に収納した状態を示している。図１（ａ）において、収納装置１００は、パネルディスプレイを収納する収納箱１０と、収納箱１０を自在に移動するための移動手段としての脚部２０とを備えている。脚部２０は、収納箱１０の下面に取付けられ、２本の棒状部材２１と、棒状部材２１のそれぞれに２つずつ取付けられたキャスター２２及びストッパー２３とを含む。
【００１６】
棒状部材２１は、収納箱１０の転倒防止のため、収納箱１０の前後方向に延設されている。また、２本の棒状部材２１は、互いに所定の角度を成しており、収納箱１０を上から見た場合に八の字を描くように取付けられている。
【００１７】
ストッパー２３は、回転させることによりその高さを変えることができる。移動時にはストッパー２３を短くしてキャスター２２のみが地面に触れるようにすれば、収納箱１０を難なく移動することができる。また、ストッパー２３を長くして地面に触れさせられれば、収納箱１０が不用意に移動することを防止できる。
【００１８】
図１（ｂ）は収納装置１００の上面に取付けられた蓋１１を開放した状態を示している。なお、ＰＤＰは収納装置１００の一部を構成するものではないため、ここでは二点鎖線で示されている。
【００１９】
収納箱１０は、上面に開口を有する有底筒型部材としての箱本体１２と、その開口の開閉を行うために箱本体１２の上端に取付けられた蓋１１とを備えている。蓋１１を開放すると、箱本体１２に収納されたＰＤＰの上面が露出し、箱本体１２の上面に設けられた昇降スイッチ１３を操作可能となる。収納装置１００は、収納箱１０の内部に、ＰＤＰを支持しつつ収納箱１０内と収納箱１０上方位置との間で昇降させる昇降手段を備えており、昇降スイッチ１３を操作することにより、箱本体１２の上面の開口からＰＤＰを上昇させることができる。
【００２０】
図２（ａ）はＰＤＰが上昇し、画面全体が収納装置１００の上方に露出した状態を示す図である。また、図２（ｂ）は、図２（ａ）よりも低い位置でＰＤＰを停止させた状態を示す図である。
【００２１】
昇降手段は、図２（ｂ）に示すように、ＰＤＰの一部が収納箱に収納される中段位置でＰＤＰを停止可能であり、この状態で収納箱１０の前面に設けられた扉１４を開放することによって、ＰＤＰの画面全体を露出させることができる。言い換えれば、収納箱１０は、中段位置に停止したＰＤＰの画面全体を露出させるための扉１４を前面壁の上端に有する。
【００２２】
ＰＤＰにタッチパネル機能が備わっている場合、このようにＰＤＰを中段位置に下げ、扉１４を開放すれば、専用のポインティングデバイスなどで画面に触れて情報を入力しやすくなる。
【００２３】
図３は、複数の収納装置１００を纏めてしまっておく場合や出荷する場合などの配列方法を示す図である。
【００２４】
収納装置１００は、八の字に脚部２０が取付けられているため、図３（ａ）に示すように前後に重ねて配列しても、脚部２０同士が干渉しあうことなく、図３（ｂ）に示すように、非常に小さなスペースに収容することができる。
【００２５】
次に図４を用いて、収納装置１００の内部に設けられた昇降手段の構成について説明する。
【００２６】
図４（ａ）は、収納箱１０の背面パネルを取り外した場合の内部機構を示している。昇降手段はＰＤＰの両側においてほぼ左右対称の構成となっているため、図４（ａ）においては左側の昇降手段のみを示している。収納箱１０の内部において、ＰＤＰは支持手段としてのプレート４０１によって支持されている。プレート４０１の上面には、先端が細くなっている支持棒４０２が垂直方向に伸びており、ＰＤＰの底面に設けられた挿入穴に支持棒４０２を挿入し、ねじ留めすることにより、ＰＤＰがプレート４０１に対して固定されている。プレート４０１は、その左右端部において、スライダ４０３に固定されている。スライダ４０２は、収納箱１０の側壁内側に設けられたレール４０４に沿って上下方向にスライド可能である。従って、プレート４０１及びスライダ４０３は、ＰＤＰを支持しつつ上下動可能な支持手段として機能する。
【００２７】
図４（ｂ）は、スライダ４０３の内部構成とベルト４０５の巻回状態について詳しく示す図であり、右側の昇降手段のみを示している。
【００２８】
スライダ４０３の内部にはプーリー４０６が設けられている。プーリー４０６は上方から伸びるベルト４０５に巻回され、ベルト４０５の張力によって上方に付勢されている。このため、プーリー４０６は、動滑車として機能する。
【００２９】
ベルト４０５の一端は、収納箱１０の上端に固定されている。収納箱１０の上端には、プーリー４０７とベルト固定部４０８とが設けられている。図４（ｃ）は、プーリー４０７とベルト固定部４０８の位置関係を示す拡大図である。
【００３０】
ベルト固定部４０８に一端を固定されたベルト４０５は、下方に伸びてプーリー４０６に巻回され、収納箱１０の上端に戻って、更にプーリー４０７に巻回され、収納箱１０の下端に固定されたプーリー４０９及びプーリー４１０に巻回されて、ベルト巻取装置４１１にその他端が取付けられる。
【００３１】
ベルト巻取装置４１１は、収納箱１０の底面中央付近に固定されており、左右に伸びた２本のベルト４０５を同期して巻取り、巻き出すことができる。ベルト巻取装置４１１の内部には、１つのモータ（不図示）に対して、２つの同じ歯車（不図示）が噛合しており、その２つの歯車が同じ回転数で回転することによって２本のベルト４０５を同じ長さだけ巻取りまたは巻き出す。
【００３２】
このように、ベルト巻取装置が１対のベルト４０５を巻取ったり巻きだしたりすることによって、左右のスライダ４０３が同期してスライドし、プレート４０１が収納箱１０内を水平を保ちつつ上昇したり下降したりする。これによって、ＰＤＰが昇降する。
【００３３】
また、収納箱１０の一方の側壁には、上昇端検知センサ４１２と下降端検知センサ４１３とが固定されており、スライダ４０３が上昇して上昇端検知センサ４１２がスライダ４０３を検知すると、ベルト巻取装置４１１による巻取りを停止させる。また、スライダ４０３が下降して下降端検知センサ４１３がスライダ４０３を検知すると、ベルト巻取装置４１１によるベルト４０５の巻きだしを停止させる。
【００３４】
次に、図５を用いて、ＰＤＰの落下防止機構を有する収納装置について説明する。この落下防止機構は、何らかの原因でベルトが切れた場合のＰＤＰの落下を最小限にくい止めるためのものである。
【００３５】
図５（ａ）は、スライダ４０３の内部構成を示す拡大図である。
【００３６】
落下防止機構は、スライダ４０３内部においてプーリー４０６の下方に取付けられたブレード５０１と、ブレード５０１を挿入する複数の挿入口５０２が一定間隔に形成されたベースプレート５０３とを含む。
【００３７】
ブレード５０１には、２本のピン５０４、５０５が水平に並ぶように固定されている。一方、スライダ４０３の壁面部には、このピン５０４、５０５が挿入されるスリット５０６が設けられている。ピン５０４、５０５は、スリット５０６内で水平方向に移動可能である。ピン５０５の先端部分はスリット５０６を通り、スライダ４０３の外部に突出している。そして、スライダ４０３の外部において、ピン５０５の先端部分に対し、付勢手段としてのコイルばね５０７の一端が取付けられている。コイルばね５０７の他端は、スライダ４０３の壁面に固定されている。これにより、ブレード５０１には、収納箱１０の側壁方向（図中右方向）に付勢力が与えられる。
【００３８】
図５（ｂ）は、図５（ａ）のＢ−Ｂで切断した場合の断面図である。図５（ｂ）に示すように、ピン５０４には、自由に回転するプーリー５０８が取付けられている。プーリー５０８も、コイルばね５０７により、収納箱１０の側壁方向に付勢力を受けるが、プーリー５０８はベルト４０５に当接し、ベルト４０５の張力を受けるため、ブレード全体として図の位置に停止している。言い換えれば、上下方向に伸びるベルト４０５に対して直角を成す方向に当接する当接手段としてプーリー５０８を設ける。そして、プーリー５０８がベルト４０５から受ける力に抗して、ブレード５０１を収納箱１０の壁面側に付勢する付勢手段としてコイルばね５０７を設ける。
【００３９】
なお、図５（ｂ）に示すように、ブレード５０１は、ベルト４０５の前後両側に設けられており、ピン５０４、５０５によって２つのブレードが連結されて一体として水平方向にスライド可能となっている。
【００４０】
図５（ｃ）は、ベースプレート５０３の構成を示す図である。ベースプレート５０３には、その中央付近にレール４０４が取付けられており、レール４０４を挟む位置には、複数の挿入口５０２が上下方向に一定間隔で形成されている。
【００４１】
以上説明したように、ブレード５０１は、ベルト４０５の張力によって図５（ａ）、（ｂ）の位置に保持されているため、ベルト４０５が切れ、その張力が無くなると、コイルばね５０５の付勢力によってベースプレート５０３に向かって水平にスライドする。ベルト４０５が切れたことによりスライダ４０３は下降するが、直近の挿入口５０２にブレード５０１が挿入されることにより、スライダ４０３は直ちに停止する。
【００４２】
なお、本実施形態では、ＰＤＰの昇降駆動に用いる線材としてベルトを用いているが、本発明はこれに限定されるものではなく、ワイヤーやチェーンを用いても良い。また、更に、レールの代わりにスクリューを用いてスクリューを回転させることによりスライダを昇降する機構としても良い。
【００４３】
また、収納箱の中には、ＰＤＰの他に、ＰＤＰを操作するコンピュータや電源やスピーカーなどを収納しても良い。
【００４４】
さらに、ここではＰＤＰを例に挙げて説明したが、本発明に係るパネルディスプレイは、液晶ディスプレイや有機ＥＬディスプレイなどであっても良い。
【００４５】
また、ベルト４０５に重りを取付け、ＰＤＰが上昇する際に重りが下降するようにしてもよい。そのようにすれば、ベルト巻取装置の駆動力を抑えることが可能となる。
【００４６】
（実施形態の効果）
収納箱にＰＤＰを収納し鍵をかければ、不特定多数の人間が触れうる公共の場所に置く場合に、ＰＤＰの画面を、塵や埃のみならず、異物の衝突やいたずら等からも保護することができる。
【００４７】
また、収納箱にＰＤＰを収納した状態では全体として重心が低い位置にくるので、キャスターのロックを外して水平方向に押せば、ＰＤＰを安定して移動させることができる。
【００４８】
調節ストローク範囲内であれば自由に画面高さの調節を行うことができる。従来はボルト留めの位置を変えることによって画面高さを調整していたので、細かく高さを調整しようとするとそれだけボルトピッチを狭くしてボルト穴を多くしなければならなかったが、それに比べて、ボタンを押下するだけで無段階に高さを調整できるので、その作業が格段に容易となる。
【００４９】
昇降機構が収納箱内に完全に収容されているので、天井からＰＤＰをつり下げる場合などに比較し、全体としての装置を非常にコンパクト化できる。
【００５０】
落下防止機能を備えているので、万が一昇降機構のベルトが切れた場合にも、ＰＤＰは最低位置まで落下することはなく安全である。
【００５１】
例えば、学校の電子黒板としてＰＤＰを利用する場合には、子供でも容易に画面高さを調整でき、タッチパネル機能を利用するためＰＤＰの画面に直接触れたい場合にも、子供の身長に合わせた高さまで画面を容易に下げることができる。また、ＰＤＰを利用しない場合には収納箱内に収容しておけば子供のいたずらからＰＤＰを守ることができる。また、収納時には全体として重心が低くなるので子供が不用意にぶつかったりすることによる転倒を防止できる。
【００５２】
【発明の効果】
本発明によれば、不使用時にパネルディスプレイを容易に収納できる収納装置を提供することができる。
【図面の簡単な説明】
【図１】本発明の実施の形態に係る収納装置の外観及び基本的な動作を示す図である。
【図２】本発明の実施の形態に係る収納装置の外観及び基本的な動作を示す図である。
【図３】本発明の実施の形態に係る収納装置を複数並べた状態を示す概略図である。
【図４】本発明の実施の形態に係る収納装置の内部機構を示す図である。
【図５】本発明の実施の形態に係る収納装置の落下防止機構を示す図である。
【符号の説明】
１００  収納装置
１０  収納箱
２０  脚部
【図１】
2004337430.tif 000003
【図２】
2004337430.tif 000004
【図３】
2004337430.tif 000005
【図４】
2004337430.tif 000006
【図５】
2004337430.tif 000007